Podtech/llm-jp-corpus-v4-ja_patent huggingface dataset:
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
遊技球が打ち出される遊技盤に設けられた入賞口と、
前記入賞口に遊技球を入球可能な開状態と、前記入賞口に遊技球の入球が不可能もしくは前記開状態よりも遊技球の入球が困難な閉状態とに変位する開閉部材と、
特定の移動位置に移動可能な可動体と、
前記可動体に設けられ、前記可動体が前記特定の移動位置に移動したときに所定の表示を実行可能な第１の表示手段と、
前記入賞口の近傍に設けられ、前記開閉部材が開状態に変位することに伴って所定の表示を実行可能な第２の表示手段と、を備え、
前記第１の表示手段は、前記入賞口の位置を示唆し得る表示を実行可能であり、
前記第２の表示手段は、前記特定の移動位置に移動した前記可動体の前記第１の表示手段による、前記入賞口の位置を示唆し得る表示と連動した表示を実行可能であることを特徴とする遊技機。
【請求項２】
前記開閉部材は、前記特定の移動位置に移動した前記可動体の前記第１の表示手段による、前記入賞口の位置を示唆し得る表示に伴って前記開状態に変位することを特徴とする請求項１記載の遊技機。
【請求項３】
前記入賞口は、通常よりも有利な特別遊技が行われる場合に、前記開閉部材が開状態に変位することにより開放される大入賞口であることを特徴とする請求項１又は２記載の遊技機。
【手続補正２】
【補正対象書類名】明細書
【補正対象項目名】０００４
【補正方法】変更
【補正の内容】
【０００４】
本願発明は、従来技術を踏まえた上で、入賞口が開放される場合の演出に着目し、今までないインパクトのある演出を実行可能な遊技機を提供することを目的とする。
【手続補正３】
【補正対象書類名】明細書
【補正対象項目名】０００５
【補正方法】変更
【補正の内容】
【０００５】
上述した目的を達成するために、本発明は次のように構成されている。 本発明に係る遊技機（パチンコ機Ｐ）は、遊技球が打ち出される遊技盤１１０に設けられた入賞口（大入賞口１８０）と、前記入賞口に遊技球を入球可能な開状態と、前記入賞口に遊技球の入球が不可能もしくは前記開状態よりも遊技球の入球が困難な閉状態とに変位する開閉部材（開閉羽根１８１）と、特定の移動位置に移動可能な可動体（上可動体２０）と、前記可動体に設けられ、前記可動体が前記特定の移動位置に移動したときに所定の表示（発光表示）を実行可能な第１の表示手段（可動体発光部７０）と、前記入賞口の近傍に設けられ、前記開閉部材が開状態に変位することに伴って所定の表示（発光表示）を実行可能な第２の表示手段（大入賞口発光部６０）と、を備えている。そして、前記第１の表示手段は、前記入賞口の位置を示唆し得る表示を実行可能であり、前記第２の表示手段は、前記特定の移動位置に移動した前記可動体の前記第１の表示手段による、前記入賞口の位置を示唆し得る表示と連動した表示を実行可能であることを特徴とする。
【手続補正４】
【補正対象書類名】明細書
【補正対象項目名】０００６
【補正方法】変更
【補正の内容】
【０００６】
本発明においては、遊技中の所定契機、例えば特別遊技の開始時に、開閉部材が開位置に移動したときには、可動体が特定の移動位置（例えば最大可動位置）に移動して、第１の表示手段により入賞口の位置を示唆し得る表示が実行される。また、開閉部材が開位置に移動することに伴って、第２の表示手段により、第１の表示手段による入賞口の位置を示唆し得る表示と連動した表示が実行される。これにより、例えば特別遊技の開始時などに、可動体の作動と連動した発光表示による新たな演出態様を提供することができる。
【手続補正５】
【補正対象書類名】明細書
【補正対象項目名】０００７
【補正方法】変更
【補正の内容】
【０００７】
ここで、前記開閉部材は、前記特定の移動位置に移動した前記可動体の前記第１の表示手段による、前記入賞口の位置を示唆し得る表示に伴って前記開状態に変位するように形成することができる。このように形成することにより、入賞口の位置をより明確に示唆することができる。
なお、前記入賞口は、通常よりも有利な特別遊技が行われる場合に、前記開閉部材が開状態に変位することにより開放される大入賞口１８０とすることができる。
【手続補正６】
【補正対象書類名】明細書
【補正対象項目名】０００８
【補正方法】変更
【補正の内容】
【０００８】
本発明によれば、今までにないインパクトのある演出を実行可能な遊技機を提供することができる。
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
後部開口（９）と吹出口（１３）を備えた本体ケース（１）の内部に、モーター（５）および送風ファン（４）を支持し、少なくとも送風ファン（４）の周囲を覆うファンケース（６）が配置してある送風装置であって、
ファンケース（６）は、その入口（６ａ）と出口（６ｂ）が、本体ケース（１）の後部開口（９）と吹出口（１３）の間に位置する状態で本体ケース（１）内に配置されており、
ファンケース（６）の入口（６ａ）に、該入口（６ａ）を覆う吸込みグリル（１１）が配置されており、
吸込みグリル（１１）は、通気スクリーン（２３）と、通気スクリーン（２３）の周縁に設けた装着部（２４）を備えており、
装着部（２４）をファンケース（６）の入口（６ａ）に装着固定した状態において、通気スクリーン（２３）が、ファンケース（６）の入口（６ａ）から送風ファン（４）へ向かって膨出させてあることを特徴とする送風装置。
【請求項２】
吸込みグリル（１１）の装着部（２４）が、通気スクリーン（２３）の周縁の内係合壁（６０）と、内係合壁（６０）に連続してＬ字状に屈曲する外係合壁（６１）で多重筒状に構成されており、
装着部（２４）をファンケース（６）の入口（６ａ）に装着した状態において、外係合壁（６１）がファンケース（６）の外周面に係合している請求項１に記載の送風装置。
【請求項３】
外係合壁（６１）の複数個所に係合爪（６２）が一体に設けてあり、係合爪（６２）に対応する係合リブ（６３）がファンケース（６）の外周面に突設されており、
装着部（２４）をファンケース（６）の入口（６ａ）に装着した状態において、係合爪（６２）と係合リブ（６３）が係合して、吸込みグリル（１１）がファンケース（６）に相対移動不能に固定してある請求項２に記載の送風装置。
【請求項４】
吸込みグリル（１１）の通気スクリーン（２３）が、送風ファン（４）へ向かって内凹み湾曲状に膨出させてある請求項１から３のいずれかひとつに記載の送風装置。
【請求項５】
本体ケース（１）の後部開口（９）に、吸込口（２９）を備えた吸気体（１２）が装着されており、
吸気体（１２）は、吸込口（２９）から流入した空気を通気スクリーン（２３）へ向かって案内する筒壁（３２）を備えており、
吸込みグリル（１１）の装着部（２４）が、吸気体（１２）の筒前端より前方に位置させてある請求項１から４のいずれかひとつに記載の送風装置。
【請求項６】
吸気体（１２）の吸込口（２９）および送出口（３１）のそれぞれが筒状に形成されて、両者（２９・３１）の間を断面がなだらかに湾曲する拡開筒壁（３２）で連続させてある請求項５に記載の送風装置。
【請求項７】
吸気体（１２）の吸込口（２９）に面して、第１フィルター（４７）を兼ねる整流スクリーン（３０）が配置してある請求項５、または６に記載の送風装置。
【請求項８】
整流スクリーン（３０）が、同心円状に配置した複数の整流リブ（５６）と、複数の整流リブ（５６）を支持する交差リブ（５７）で構成してある請求項７に記載の送風装置。
【請求項９】
吸気体（１２）を本体ケース（１）の後部開口（９）に装着した状態において、送出口（３１）の筒前端がファンケース（６）と協同して吸込みグリル（１１）の装着部（２４）を挟持している請求項５から８のいずれかひとつに記載の送風装置。
【請求項１０】
吸込みグリル（１１）の通気スクリーン（２３）の厚み（Ｔ）が、整流リブ（５６）の通気方向のリブ長さ（Ｌ１）より小さく設定してある請求項８、または９に記載の送風装置。
【請求項１１】
整流リブ（５６）のリブ厚み（Ｌ２）が、整流リブ（５６）の通気方向のリブ長さ（Ｌ１）より小さく設定してある請求項８から１０のいずれかひとつに記載の送風装置。
【請求項１２】
整流スクリーン（３０）の吸込みグリル（１１）との対向面の側に、第１フィルター（４７）より小さな通気穴（４８ａ）の一群を備えたメッシュ構造の第２フィルター（４８）が配置してある請求項８から１１のいずれかひとつに記載の送風装置。
【請求項１３】
第２フィルター（４８）が屈曲自在なシート状の軟質材で形成され、整流スクリーン（３０）が第２フィルター（４８）より硬質の素材で形成されており、
第２フィルター（４８）と整流スクリーン（３０）が隣接配置してある請求項１２に記載の送風装置。
【請求項１４】
吸気体（１２）が、筒壁（３２）を備えた前筒（４５）と、吸込口（２９）を備えた後筒（４６）で構成されており、
第２フィルター（４８）の周縁が前筒（４５）と後筒（４６）で挟持してある請求項５から１３のいずれかひとつに記載の送風装置。
【請求項１５】
後筒（４６）と隣接する前筒（４５）の筒端面（５１）に、中央受枠（４９）と、同枠（４９）を支持する支持枠（５０）が、筒端面（５１）と面一になる状態で設けられており、
第２フィルター（４８）が、筒端面（５１）と中央受枠（４９）と支持枠（５０）に固定してある請求項１４に記載の送風装置。
【請求項１６】
前筒（４５）の筒端面（５１）の周囲に、第２フィルター（４８）の周縁を覆う筒壁（６９）を備えた押えリング（６８）が配置されており、
後筒（４６）は、本体ケース（１）の後部開口（９）に装着されており、
後筒（４６）を後部開口（９）に装着した状態において、前筒（４５）の筒端面（５１）の周囲に装着した押えリング（６８）が、後筒（４６）で前筒（４５）に向かって押付け固定してある請求項１４、または１５に記載の送風装置。
【請求項１７】
後筒（４６）を後部開口（９）に装着した状態において、第２フィルター（４８）の前後両面が、中央受枠（４９）および支持枠（５０）と整流スクリーン（３０）で挟持してある請求項１５または１６に記載の送風装置。
【請求項１８】
後筒（４６）を後部開口（９）に装着した状態において、第２フィルター（４８）と後筒（４６）の筒前端との間に隙間（Ｅ）が確保してある請求項１４から１７のいずれかひとつに記載の送風装置。
【請求項１９】
本体ケース（１）とファンケース（６）の間に形成される隙間空間に、送風装置の運転状態を制御する制御基板（９０・９１）が配置してある請求項１から１８のいずれかひとつに記載の送風装置。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
遊技球を受け入れ可能な受入口と、前記受入口への遊技球の受け入れに基づいて抽選を実行可能な抽選手段とを備え、前記抽選の結果が特定の結果であることに基づいて遊技者に有利な当たり遊技が実行される遊技機であって、
複数の図柄の変動演出を含む演出が表示されるものであり、前記図柄が停止されたときの停止態様により前記抽選の結果が表示される表示手段と、
前記複数の図柄の変動演出が開始されてから前記抽選の結果が表示されるまでの間に、通常の変動演出とは異なるかたちで前記複数の図柄による特殊変動演出を行う特殊演出実行手段と、を備え、
前記特殊演出実行手段は、
前記特殊変動演出の実行を示唆する特殊図柄を表示可能とされ、該特殊図柄は、前記抽選の結果を表示するときに用いられることのないものであって、前記特殊変動演出が実行されるときにのみ前記表示手段に停止されるものであり、
前記複数の図柄の変動が行われているなかで前記特殊図柄のみ停止させ、該特殊図柄が停止された後にも前記複数の図柄の変動を行うことで、より当たり期待度の高い演出を実行可能であり、
前記表示手段において表示される演出として当たり期待度が段階に応じて異なるように構成された特別段階演出を備え、前記特殊図柄が停止される前の前記複数の図柄の変動期間および前記特殊図柄が停止された後の前記複数の図柄の変動期間において前記特別段階演出を実行可能とされ、
前記特殊図柄が停止される前の前記複数の図柄の変動期間にて行われた前記特別段階演出の段階よりも当たり期待度の高い段階となる特別段階演出を、前記特殊図柄が停止された後の前記複数の図柄の変動期間において、前記特殊図柄が停止された領域と重なる領域を用いて実行可能であり、
前記特殊演出実行手段は、前記特殊図柄の停止を、前記複数の図柄の変動演出が開始されてから前記抽選の結果が表示されるまでの間に複数回可能とされ、該特殊図柄の停止回数が多いほど当たり期待度が高く、
前記特殊演出実行手段は、前記複数の図柄がリーチ態様となった後に前記特殊図柄を停止可能とされ、リーチ態様となった後に該特殊図柄が停止された場合においても前記複数の図柄の変動を行うことで、より当たり期待度の高い演出を実行可能である
ことを特徴とする遊技機。
【手続補正２】
【補正対象書類名】明細書
【補正対象項目名】０００７
【補正方法】変更
【補正の内容】
【０００７】
請求項１に記載の遊技機は、遊技球を受け入れ可能な受入口と、前記受入口への遊技球の受け入れに基づいて抽選を実行可能な抽選手段とを備え、前記抽選の結果が特定の結果であることに基づいて遊技者に有利な当たり遊技が実行される遊技機であって、
複数の図柄の変動演出を含む演出が表示されるものであり、前記図柄が停止されたときの停止態様により前記抽選の結果が表示される表示手段と、
前記複数の図柄の変動演出が開始されてから前記抽選の結果が表示されるまでの間に、通常の変動演出とは異なるかたちで前記複数の図柄による特殊変動演出を行う特殊演出実行手段と、を備え、
前記特殊演出実行手段は、
前記特殊変動演出の実行を示唆する特殊図柄を表示可能とされ、該特殊図柄は、前記抽選の結果を表示するときに用いられることのないものであって、前記特殊変動演出が実行されるときにのみ前記表示手段に停止されるものであり、
前記複数の図柄の変動が行われているなかで前記特殊図柄のみ停止させ、該特殊図柄が停止された後にも前記複数の図柄の変動を行うことで、より当たり期待度の高い演出を実行可能であり、
前記表示手段において表示される演出として当たり期待度が段階に応じて異なるように構成された特別段階演出を備え、前記特殊図柄が停止される前の前記複数の図柄の変動期間および前記特殊図柄が停止された後の前記複数の図柄の変動期間において前記特別段階演出を実行可能とされ、
前記特殊図柄が停止される前の前記複数の図柄の変動期間にて行われた前記特別段階演出の段階よりも当たり期待度の高い段階となる特別段階演出を、前記特殊図柄が停止された後の前記複数の図柄の変動期間において、前記特殊図柄が停止された領域と重なる領域を用いて実行可能であり、
前記特殊演出実行手段は、前記特殊図柄の停止を、前記複数の図柄の変動演出が開始されてから前記抽選の結果が表示されるまでの間に複数回可能とされ、該特殊図柄の停止回数が多いほど当たり期待度が高く、
前記特殊演出実行手段は、前記複数の図柄がリーチ態様となった後に前記特殊図柄を停止可能とされ、リーチ態様となった後に該特殊図柄が停止された場合においても前記複数の図柄の変動を行うことで、より当たり期待度の高い演出を実行可能である
ことを特徴とする遊技機。
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
制御部を有するコンピュータが実行する情報処理方法であって、
前記制御部は、
変形可能な所定図形を形成する複数のオブジェクトの動く速度、各オブジェクトの位置関係の変化、及び前記所定図形の大きさの変化速度を示す各動きパラメータのうち、少なくとも２つの動きパラメータそれぞれに、心理状態を示す心理パラメータを関連付けること、
関連付けられた少なくとも２つの心理パラメータを取得すること、
前記少なくとも２つの心理パラメータが取得される度に、各心理パラメータの変動に基づいて各動きパラメータを更新すること、
更新された各動きパラメータに基づく前記所定図形を画面に表示制御すること、
を実行する情報処理方法。
【請求項２】
前記心理パラメータは、エナジーに関する第１心理パラメータと、フォーカスに関する第２心理パラメータと、カームに関する第３心理パラメータとを含み、
前記関連付けることは、
前記複数のオブジェクトの動く速度を示す第１動きパラメータに、前記第１心理パラメータを関連付け、前記各オブジェクトの位置関係の変化を示す第２動きパラメータに、前記第２心理パラメータを関連付け、前記所定図形の大きさの変化速度を示す第３動きパラメータに、前記第３心理パラメータを関連付ける、請求項１に記載の情報処理方法。
【請求項３】
前記取得することは、
瞬目に関する第１生体情報、視線移動に関する第２生体情報、及び体動に関する第３生体情報に基づく前記第１心理パラメータを取得し、
前記第１生体情報に基づく前記第２心理パラメータを取得し、及び
前記第１生体情報に基づく前記第３心理パラメータを取得する、請求項２に記載の情報処理方法。
【請求項４】
前記取得することは、
アイウエアに設けられた生体電極から取得された眼電位信号に基づく、前記第１生体情報及び前記第２生体情報を取得し、
前記アイウエアに設けられた加速度センサから取得されたセンサ信号に基づく、前記第３生体情報を取得し、
取得された前記第１生体情報、前記第２生体情報、及び前記第３生体情報に基づき各心理パラメータを算出して取得する、請求項３に記載の情報処理方法。
【請求項５】
変形可能な所定図形を形成する複数のオブジェクトの動く速度、各オブジェクトの位置関係の変化、及び前記所定図形の大きさの変化速度を示す各動きパラメータのうち、少なくとも２つの動きパラメータそれぞれに、心理状態を示す心理パラメータを関連付ける関連付け部と、
前記関連付け部に関連付けられた少なくとも２つの心理パラメータを取得する取得部と、
前記少なくとも２つの心理パラメータが取得される度に、各心理パラメータの変動に基づいて各動きパラメータを更新し、更新した各動きパラメータに基づく前記所定図形を画面に表示制御する表示制御部と、
を有する情報処理装置。
【請求項６】
コンピュータに、
変形可能な所定図形を形成する複数のオブジェクトの動く速度、各オブジェクトの位置関係の変化、及び前記所定図形の大きさの変化速度を示す各動きパラメータのうち、少なくとも２つの動きパラメータそれぞれに、心理状態を示す心理パラメータを関連付けること、
関連付けられた少なくとも２つの心理パラメータを算出すること、
前記少なくとも２つの心理パラメータが取得される度に、各心理パラメータの変動に基づいて各動きパラメータを更新し、
更新された各動きパラメータに基づく前記所定図形を画面に表示制御すること、
を実行させるプログラム。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
被検眼を撮影するための撮影光学系と、
前記撮影光学系と一部の光路を共有し、前記被検眼に内部固視灯を投影するための投影光学系と、
前記撮影光学系の光路に配される光学部材を切り換えて前記被検眼の撮影倍率を変更する撮影倍率変更手段と、
前記撮影倍率の変更に応じて前記内部固視灯の前記被検眼に投影される表示様式を変更する変更手段と、を有することを特徴とする眼科装置。
【請求項２】
前記撮影倍率変更手段により切り換えられる前記光学部材は、前記撮影光学系と前記投影光学系とに共有される光路に配され、
前記変更手段は、前記撮影倍率が変更される前に前記内部固視灯が前記被検眼に投影された際の表示様式となるように、前記内部固視灯の表示様式を変更し補正する手段であることを特徴とする請求項１に記載の眼科装置。
【請求項３】
前記変更される表示様式は、前記被検眼に投影される前記内部固視灯の大きさ及び移動量の少なくとも何れかであることを特徴とする請求項２に記載の眼科装置。
【請求項４】
前記変更手段は、前記撮影倍率が高倍率に変更された場合に、前記変更された倍率に応じて前記内部固視灯の大きさを大きく変更することを特徴する請求項３に記載の眼科装置。
【請求項５】
前記変更手段は、前記撮影倍率が高倍率に変更された場合に、前記変更された倍率に応じて前記内部固視灯の移動量を大きく変更することを特徴する請求項３又は４に記載の眼科装置。
【請求項６】
前記撮影倍率変更手段により切り換えられる前記光学部材は、前記撮影光学系と前記投影光学系とに共有される光路に配され、
前記変更手段は、前記撮影光学系とは共有されない前記投影光学系の光路に配されて、前記撮影倍率変更手段によって変化した前記被検眼に対する前記内部固視灯の表示様式を補正する補正用光学部材を変更する手段であることを特徴とする請求項１に記載の眼科装置。
【請求項７】
前記撮影倍率変更手段により切り換えられる前記光学部材は、前記投影光学系とは共有されない前記撮影光学系の光路に配され、
前記変更手段は、前記撮影光学系とは共有されない前記投影光学系の光路に配されて、前記撮影倍率変更手段によって変化した前記被検眼に対する前記内部固視灯の表示様式を補正する補正用光学部材を変更する手段であることを特徴とする請求項１に記載の眼科装置。
【請求項８】
前記撮影倍率変更手段により切り換えられる前記光学部材は、前記投影光学系とは共有されない前記撮影光学系の光路に配され、
前記変更手段は、前記撮影光学系とは共有されない前記投影光学系の光路に配される合焦用の光学部材の合焦状態を変更する手段であることを特徴とする請求項１に記載の眼科装置。
【請求項９】
被検眼を撮影するための撮影光学系と、
前記被検眼に内部固視灯を投影するための投影光学系と、
前記撮影光学系と前記投影光学系が共有する光路上に光学部材を着脱する着脱手段と、
前記光学部材が装着されたときに前記光学部材の特性を検出する検出手段と、
前記検出された光学部材の特性に応じて前記内部固視灯の表示様式を変更する変更手段と、
を有することを特徴とする眼科装置。
【請求項１０】
前記光学部材の特性は前記被検眼を撮影する撮影倍率であることを特徴とする請求項９に記載の眼科装置。
【請求項１１】
前記変更される内部固視灯の表示様式は前記内部固視灯を前記被検眼に投影する際の前記内部固視灯の大きさであることを特徴とする請求項９又は１０に記載の眼科装置。
【請求項１２】
前記変更される内部固視灯の表示様式は前記内部固視灯を前記被検眼に投影する際の前記内部固視灯の移動量であることを特徴とする請求項９乃至１１の何れか一項に記載の眼科装置。
【請求項１３】
被検眼を撮影するための撮影光学系と、
前記被検眼に内部固視灯を投影するための投影光学系と、
前記撮影光学系の光路上に配置された光学部材と第一の光学部材とを切り換える第一の切換手段と、
前記投影光学系の光路上に配置された光学部材と第二の光学部材とを切り換える第二の切換手段と、
前記第一の光学部材に切り換えた時に前記第一の光学部材の特性に応じて前記第二の光学部材への切り換えを行うことで前記内部固視灯の前記被検眼に投影する際の表示様式を変更する変更手段と、
を有することを特徴とする眼科装置。
【請求項１４】
前記第一の光学部材は撮影倍率を変更するレンズであることを特徴とする請求項１３に記載の眼科装置。
【請求項１５】
前記第二の光学部材は前記第一の光学部材の特性を相殺する補正レンズであることを特徴とする請求項１３又は１４に記載の眼科装置。
【請求項１６】
被検眼を撮影するための撮影光学系と、
前記撮影光学系と一部の光路を共有し、前記被検眼に内部固視灯を投影するための投影光学系と、を有する眼科装置の制御方法であって、
前記撮影光学系の光路に配される光学部材を切り換えて前記被検眼の撮影倍率を変更する工程と、
前記撮影倍率の変更に応じて前記内部固視灯の前記被検眼に投影される表示様式を変更する工程と、を有することを特徴とする眼科装置の制御方法。
【請求項１７】
切り換えられる前記光学部材は、前記撮影光学系と前記投影光学系とに共有される光路に配され、
前記撮影倍率を変更する工程において、前記撮影倍率が変更される前に前記内部固視灯が前記被検眼に投影された際の表示様式となるように、前記内部固視灯の表示様式が変更されることを特徴とする請求項１６に記載の眼科装置の制御方法。
【請求項１８】
請求項１６又は１７に記載の眼科装置の制御方法の各工程をコンピュータに実行させることを特徴とするプログラム。
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
本体ケース（１）と、肌面上を転動可能な転動体（２９・１０９）を含む肌接触体（２）と、肌接触体（２）の少なくとも一部を加熱または冷却する熱源（３・１１１）を備えており、
肌接触体（２）が本体ケース（１）に対して着脱可能に設けてある美容器具。
【請求項２】
肌接触体（２）が、熱源（３）に対して受熱面（３２）を介して密着配置される受熱体（２８）を含み、
転動体が、受熱体（２８）で全方向に遊転自在に支持したボール（２９）で構成してある請求項１に記載の美容器具。
【請求項３】
受熱体（２８）の外面に、肌面に熱刺激を付与する肌刺激面（４２）が設けられており、
ボール（２９）と肌刺激面（４２）で肌面に熱刺激を付与する請求項２に記載の美容器具。
【請求項４】
ボール（２９）が、受熱体（２８）に形成した収容凹部（３５）に遊転自在に収容されており、
収容凹部（３５）の内奥に、ボール（２９）を遊転自在に支持するボール保持凹部（３８）が設けられており、
ボール保持凹部（３８）が、ボール（２９）の表面に対して点接触状あるいは線接触状に接触している請求項２または３に記載の美容器具。
【請求項５】
ボール保持凹部（３８）の深さ寸法（Ｔ１）が、ボール２９の直径（Ｒ）の半分未満に設定してある請求項４に記載の美容器具。
【請求項６】
受熱体（２８）の前面に収容凹部（３５）が形成され、受熱体（２８）の後面が熱源（３）に正対する受熱面（３２）を構成しており、
受熱面（３２）から収容凹部（３５）の内奥面までの前後方向の距離（Ｔ３）が、ボール（２９）の直径（Ｒ）よりも小さく設定してある請求項４または５に記載の美容器具。
【請求項７】
受熱体（２８）の前面に収容凹部（３５）が形成され、受熱体（２８）の後面が熱源（３）に正対する受熱面（３２）を構成しており、
ボール保持凹部（３８）の深さ寸法（Ｔ１）が、受熱面（３２）からボール保持凹部（３８）の内奥面までの前後方向の距離（Ｔ２）よりも小さく設定してある請求項４から６のいずれかに記載の美容器具。
【請求項８】
ボール（２９）の後部に臨む収容凹部（３５）の内奥隅部が部分球面状に形成してある請求項４から７のいずれかひとつに記載の美容器具。
【請求項９】
ボール保持凹部（３８）の内奥隅部が部分球面状に形成してある請求項４から８のいずれかひとつに記載の美容器具。
【請求項１０】
ボール（２９）を遊転自在に収容する収容凹部（３５）が受熱体（２８）に形成されており、
収容凹部（３５）が、ボール（２９）の直径（Ｒ）よりも幅狭のボール窓（６４）と、ボール（２９）を挿入するための挿入口（６５）を備えており、
収容凹部（３５）に装填されたボール（２９）の一部は、ボール窓（６４）から受熱体（２８）の外面に露出しており、
受熱体（２８）に固定した蓋（６２・６３）で挿入口（６５）を塞いで、ボール（２９）が収容凹部（３５）に封入してある請求項２から９のいずれかひとつに記載の美容器具。
【請求項１１】
本体ケース（１）に、熱源（３）と、熱源（３）の駆動状態を制御する電装品ユニット（４）が組み込んである請求項２から１０のいずれかひとつに記載の美容器具。
【請求項１２】
熱源（３）に、受熱体（２８）の受熱面（３２）と前後に正対する熱供給面（４９）が設けられており、
受熱面（３２）と熱供給面（４９）が弾性体（６・７５）で密着付勢してある請求項１１に記載の美容器具。
【請求項１３】
熱源（３）が、本体ケース（１）に対して前後移動可能に組み付けられて、本体ケース（１）に組み込まれた弾性体（６）によって肌接触体（２）へ向かって密着付勢されている請求項１２に記載の美容器具。
【請求項１４】
肌接触体（２）が、受熱体（２８）と、本体ケース（１）に装着されて受熱体（２８）を前後移動可能に支持する支持体（７４）とを含み、
受熱体（２８）と支持体（７４）の間に、受熱体（２８）を熱源（３）へ向かって密着付勢する弾性体（７５）が設けられている請求項１２に記載の美容器具。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
モータの制御装置であって、
前記モータの回転速度を検出する検出手段と、
前記検出手段が検出した前記モータの回転速度に基づき前記モータの回転速度を制御する制御手段と、
第１温度を示す情報と、温度により変化する前記モータのパラメータの、前記第１温度における第１の値を示す情報を保持する保持手段と、
を備えており、
前記制御手段は、２つの異なる回転速度で前記モータを回転させて、前記パラメータの第２の値を求め、前記第１温度、前記第１の値、及び、前記第２の値から前記モータの温度を推定することを特徴とする制御装置。
【請求項２】
前記制御手段は、所定時間以内に前記２つの異なる回転速度で前記モータを回転させて、前記パラメータの前記第２の値を求めることを特徴とする請求項１に記載の制御装置。
【請求項３】
前記制御装置の雰囲気温度を検出する温度検出手段をさらに備えており、
前記制御手段は、前記制御装置の電源が投入されたとき、或いは、前記制御装置が省エネモードから復帰したときに、２つの異なる回転速度で前記モータを回転させて前記第１の値を求め、前記温度検出手段が検出する温度を前記第１温度とし、前記第１の値及び前記第１温度を前記保持手段に保持させることを特徴とする請求項１又は２に記載の制御装置。
【請求項４】
モータの制御装置であって、
前記モータの回転速度を検出する検出手段と、
前記検出手段が検出した前記モータの回転速度に基づき前記モータの回転速度を制御する制御手段と、
を備えており、
前記制御手段は、前記モータの温度を判定できる第１タイミングにおいて、温度により変化する前記モータのパラメータの第１の値を求め、第２タイミングにおいて前記パラメータの第２の値を求め、前記第１の値及び前記第２の値から前記第２タイミングにおける前記モータの温度を推定することを特徴とする制御装置。
【請求項５】
前記制御装置の雰囲気温度を検出する温度検出手段をさらに備えており、
前記第１タイミングは、前記モータの温度が雰囲気温度に等しいと見做せるタイミングであることを特徴とする請求項４に記載の制御装置。
【請求項６】
前記制御手段は、２つの異なる回転速度の差と、前記２つの異なる回転速度で回転させている間に前記モータに出力した平均電圧の差と、に基づき前記パラメータの値を求めることを特徴とする請求項１から５のいずれか１項に記載の制御装置。
【請求項７】
前記パラメータは、前記モータの逆起電力定数であることを特徴とする請求項１から６のいずれか１項に記載の制御装置。
【請求項８】
前記制御手段は、推定した前記モータの温度が閾値温度を超えない様に前記モータの回転速度を制御することを特徴とする請求項１から７のいずれか１項に記載の制御装置。
【請求項９】
前記モータの回転速度に対する温度上昇率を示す情報を格納する格納手段をさらに備えており、
前記制御手段は、前記モータが目標速度で回転する様に制御し、前記モータの温度を推定すると、前記目標速度における温度上昇率に基づき、前記モータの温度が、前記推定した温度から前記閾値温度に達するまでの時間を推定することを特徴とする請求項８に記載の制御装置。
【請求項１０】
前記制御手段は、前記モータの温度を推定したときから、前記推定した前記閾値温度に達するまでの時間が経過すると、前記モータを停止、或いは、前記モータの回転速度を前記目標速度より遅い速度に変更することを特徴とする請求項９に記載の制御装置。
【請求項１１】
画像形成装置であって、
画像形成に係る回転部材と、
前記回転部材を回転させるためのモータと、
前記モータの回転速度を検出する検出手段と、
前記検出手段が検出した前記モータの回転速度に基づき前記モータの回転速度を制御する制御手段と、
第１温度を示す情報と、温度により変化する前記モータのパラメータの、前記第１温度における第１の値を示す情報を保持する保持手段と、
を備えており、
前記制御手段は、２つの異なる回転速度で前記モータを回転させて、前記パラメータの第２の値を求め、前記第１温度、前記第１の値、及び、前記第２の値から前記モータの温度を推定することを特徴とする画像形成装置。
【請求項１２】
画像形成装置であって、
画像形成に係る回転部材と、
前記回転部材を回転させるためのモータと、
前記モータの回転速度を検出する検出手段と、
前記検出手段が検出した前記モータの回転速度に基づき前記モータの回転速度を制御する制御手段と、
を備えており、
前記制御手段は、モータの温度を判定できる第１タイミングにおいて、温度により変化する前記モータのパラメータの第１の値を求め、第２タイミングにおいて前記パラメータの第２の値を求め、前記第１の値及び前記第２の値から前記第２タイミングにおけるモータの温度を推定することを特徴とする画像形成装置。
【手続補正２】
【補正対象書類名】明細書
【補正対象項目名】０００６
【補正方法】変更
【補正の内容】
【０００６】
本発明の一側面によると、モータの制御装置は、前記モータの回転速度を検出する検出手段と、前記検出手段が検出した前記モータの回転速度に基づき前記モータの回転速度を制御する制御手段と、第１温度を示す情報と、温度により変化する前記モータのパラメータの、前記第１温度における第１の値を示す情報を保持する保持手段と、を備えており、前記制御手段は、２つの異なる回転速度で前記モータを回転させて、前記パラメータの第２の値を求め、前記第１温度、前記第１の値、及び、前記第２の値から前記モータの温度を推定することを特徴とする。
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
複数の振動ユニットを含む圧電駆動装置であって、
前記振動ユニットは、
固定部と、振動部と、前記固定部及び前記振動部を接続する接続部と、を有する振動板と、
前記振動部の板面上に設けられた第１電極と、
前記第１電極の上方に設けられた第１圧電体層と、
前記第１圧電体層の上方に設けられた第２電極と、
前記固定部の板面上に設けられた第３電極と、
前記第３電極の上方に設けられた第２圧電体層と、
前記第２圧電体層の上方に設けられた第４電極と、
を備え、
前記第１電極、前記第１圧電体層及び前記第２電極が圧電素子を構成し、
前記振動ユニットが、前記振動板の板面に垂直な方向に互いに重なるように配置されている、圧電駆動装置。
【請求項２】
請求項１において、
前記振動ユニットは、
前記第２電極及び前記第４電極の上方に設けられた絶縁層と、
前記絶縁層の上方に設けられた配線層と、
を含み、
前記第２電極及び前記第４電極の少なくとも一つが、前記配線層に電気的に接続されている、圧電駆動装置。
【請求項３】
請求項２において、
隣り合って配置された前記振動ユニットの前記配線層が互いに電気的に接続されてインダクターを構成している、圧電駆動装置。
【請求項４】
請求項１ないし請求項３のいずれか一項において、
前記第３電極、前記第２圧電体層及び前記第４電極が、キャパシターを構成している、
圧電駆動装置。
【請求項５】
請求項４において、
前記キャパシターは、前記振動ユニットの電源からみて、前記圧電素子と電気的に並列に接続されている、圧電駆動装置。
【請求項６】
請求項２ないし請求項５のいずれか一項において、
前記配線層がインダクターを構成している、圧電駆動装置。
【請求項７】
請求項６において、
前記インダクターは、前記振動ユニットの電源からみて、前記圧電素子と電気的に並列に接続されている、圧電駆動装置。
【請求項８】
請求項１ないし請求項７のいずれか一項に記載の圧電駆動装置と、
前記圧電駆動装置によって回転されるローターと、
を備える、モーター。
【請求項９】
複数のリンク部と、
複数の前記リンク部を接続する関節部と、
複数の前記リンク部を前記関節部で回動させる請求項１ないし請求項７のいずれか一項に記載の圧電駆動装置と、
を備える、ロボット。
【請求項１０】
請求項１ないし請求項７のいずれか一項に記載の圧電駆動装置と、
液体を輸送するチューブと、
前記圧電駆動装置の駆動によって前記チューブを閉塞する複数のフィンガーと、
を備える、ポンプ。
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
予め定められた制御条件の成立に基づいて遊技者に有利な特別遊技状態に制御される遊技機において、
変位可能な演出可動体と、
前記演出可動体を所定の待機位置から所定の動作位置へ駆動可能であると共に、前記動作位置から前記待機位置へ復帰可能な可動体制御手段と、
操作可能な操作手段と、
表示画面を有する表示装置と、
前記表示画面にて所定の入力設定画像を表示可能な入力設定画像表示手段と、
前記入力設定画像が表示されているときに前記操作手段への入力操作に基づいて、所定の識別情報を記憶可能な識別情報記憶手段と、
前記識別情報記憶手段に演出有り、又は、演出無しのいずれかに設定可能な演出有無設定手段と、
当該遊技機に電源を投入することが可能な電源投入手段と、を備え、
前記可動体制御手段は、
前記演出有無設定手段により前記演出有りに設定されている場合であって、且つ、所定の開始条件を満たしている場合には、前記待機位置にある前記演出可動体を前記動作位置へ駆動させて前記演出可動体が前記動作位置にある状態を所定の終了条件が成立するまで維持する駆動維持演出を実行可能なものである一方、
前記演出有無設定手段により前記演出無しに設定されている場合には、所定の開始条件を満たしている場合であっても、前記駆動維持演出を実行しないものであり、
前記所定の開始条件には、前記電源投入手段により電源が投入されること、及び、時間に関する実行条件を満たしていることが含まれていることを特徴とする遊技機。
【手続補正２】
【補正対象書類名】明細書
【補正対象項目名】０００５
【補正方法】変更
【補正の内容】
【０００５】
ところで、上記特許文献１に記載の遊技機のように遊技中に演出可動体が待機位置から動作位置に駆動するという一瞬の動作だけの演出ではなく、遊技前の遊技者に予め動作位置に駆動している演出可動体を見せるという演出（駆動維持演出）が考えられる。駆動維持演出を見た遊技者にインパクトを与えることが可能であり、遊技意欲を掻き立てることが可能となるためである。
【手続補正３】
【補正対象書類名】明細書
【補正対象項目名】０００６
【補正方法】変更
【補正の内容】
【０００６】
しかしながら上記した方法を用いる遊技機には改善の余地があった。
【手続補正４】
【補正対象書類名】明細書
【補正対象項目名】０００７
【補正方法】変更
【補正の内容】
【０００７】
本発明は上記事情に鑑みてなされたものである。すなわちその課題とするところは、演出可動体を見せるという演出（駆動維持演出）の実行を任意に選択することが可能な遊技機を提供することにある。
【手続補正５】
【補正対象書類名】明細書
【補正対象項目名】０００８
【補正方法】変更
【補正の内容】
【０００８】
本発明の遊技機は、
予め定められた制御条件の成立に基づいて遊技者に有利な特別遊技状態に制御される遊技機において、
変位可能な演出可動体と、
前記演出可動体を所定の待機位置から所定の動作位置へ駆動可能であると共に、前記動作位置から前記待機位置へ復帰可能な可動体制御手段と、
操作可能な操作手段と、
表示画面を有する表示装置と、
前記表示画面にて所定の入力設定画像を表示可能な入力設定画像表示手段と、
前記入力設定画像が表示されているときに前記操作手段への入力操作に基づいて、所定の識別情報を記憶可能な識別情報記憶手段と、
前記識別情報記憶手段に演出有り、又は、演出無しのいずれかに設定可能な演出有無設定手段と、
当該遊技機に電源を投入することが可能な電源投入手段と、を備え、
前記可動体制御手段は、
前記演出有無設定手段により前記演出有りに設定されている場合であって、且つ、所定の開始条件を満たしている場合には、前記待機位置にある前記演出可動体を前記動作位置へ駆動させて前記演出可動体が前記動作位置にある状態を所定の終了条件が成立するまで維持する駆動維持演出を実行可能なものである一方、
前記演出有無設定手段により前記演出無しに設定されている場合には、所定の開始条件を満たしている場合であっても、前記駆動維持演出を実行しないものであり、
前記所定の開始条件には、前記電源投入手段により電源が投入されること、及び、時間に関する実行条件を満たしていることが含まれていることを特徴とする遊技機である。
【手続補正６】
【補正対象書類名】明細書
【補正対象項目名】０００９
【補正方法】変更
【補正の内容】
【０００９】
本発明の遊技機によれば、演出可動体を見せるという演出（駆動維持演出）の実行を任意に選択することが可能である。
【手続補正７】
【補正対象書類名】明細書
【補正対象項目名】０４００
【補正方法】変更
【補正の内容】
【０４００】
この構成の遊技機によれば、識別情報を入力して且つ演出有りに設定すれば、駆動維持演出が実行されると共に、識別情報対応演出が実行されるようにすることが可能である。また、識別情報を入力しても演出無しに設定すれば、駆動維持演出が実行されないが、識別情報対応演出が実行されるようにすることが可能である。こうして、識別情報対応演出が実行されるようにしつつ、駆動維持演出の実行の有無を任意に選択することが可能である。
ところで、上記参考文献１に記載の遊技機のように遊技中に演出可動体が待機位置から動作位置に駆動するという一瞬の動作だけの演出ではなく、遊技前の遊技者に予め動作位置に駆動している演出可動体を見せるという演出（駆動維持演出）が考えられる。駆動維持演出を見た遊技者にインパクトを与えることが可能であり、遊技意欲を掻き立てることが可能となるためである。ここで駆動維持演出を、遊技機に電源が投入されることを契機として実行する方法が考えられる。この方法であれば、駆動維持演出を開始するための遊技場の従業員の作業負担が増加するのを回避できるためである。
しかしながら上記した方法を用いる遊技機の場合、以下の問題が生じ得る。即ち、一般的に遊技機が遊技場に設置される前には、検査場等で遊技機の動作チェックが行われる。そのため、動作チェックを行うべく遊技機に電源を投入すると、駆動維持演出が実行されることになる。この場合、動作チェックを行っている最中でも演出可動体が動作位置にある状態が維持されると、動作チェックを円滑に行い難くなってしまう。また、動作チェックを終えても演出可動体が未だ動作位置にあると、演出可動体を待機位置へ戻す作業が必要になり、作業が煩雑になるおそれがある。
本発明は上記事情に鑑みてなされたものである。すなわちその課題とするところは、電源の投入に基づいて演出可動体が動作位置にある状態が維持される演出を実行可能としつつ、遊技場に設置される前の動作チェックの作業が円滑にできなくなるのを回避することが可能な遊技機を提供することにある。
参考発明の遊技機によれば、電源の投入に基づいて演出可動体が動作位置にある状態が維持される演出を実行可能としつつ、遊技場に設置される前の動作チェックの作業が円滑にできなくなるのを回避することが可能である。
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
予め定められた制御条件の成立に基づいて遊技者に有利な特別遊技状態に制御される遊技機において、
所定の待機位置から所定の動作位置へ駆動可能であると共に、前記動作位置から前記待機位置へ復帰可能な演出可動体と、
当該遊技機に対する異常内容を判定する異常状態判定手段と、
所定の開始条件の成立から所定の終了条件の成立まで前記演出可動体が前記動作位置にある状態に維持する駆動維持演出を実行可能な駆動維持演出実行手段と、
前記駆動維持演出の実行中であって、前記異常判定手段により判定された異常内容に応じて前記動作位置にある前記演出可動体を前記待機位置へ復帰させて前記駆動維持演出を中止する駆動維持演出中止手段と、
前記異常状態判定手段により異常状態であると判定された場合に、当該異常状態判定手段が判定した異常内容に応じた報知を行う異常状態報知手段と、
前記駆動維持演出が中止された場合であっても、特定の異常内容である場合には、所定時間の経過に基づいて、前記異常状態報知手段による異常状態の報知を終了させると共に、前記駆動維持演出を再開することが可能な駆動維持演出再開手段と、を備えていることを特徴とする遊技機。
【手続補正２】
【補正対象書類名】明細書
【補正対象項目名】０００９
【補正方法】変更
【補正の内容】
【０００９】
本発明の遊技機は、
予め定められた制御条件の成立に基づいて遊技者に有利な特別遊技状態に制御される遊技機において、
所定の待機位置から所定の動作位置へ駆動可能であると共に、前記動作位置から前記待機位置へ復帰可能な演出可動体と、
当該遊技機に対する異常内容を判定する異常状態判定手段と、
所定の開始条件の成立から所定の終了条件の成立まで前記演出可動体が前記動作位置にある状態に維持する駆動維持演出を実行可能な駆動維持演出実行手段と、
前記駆動維持演出の実行中であって、前記異常判定手段により判定された異常内容に応じて前記動作位置にある前記演出可動体を前記待機位置へ復帰させて前記駆動維持演出を中止する駆動維持演出中止手段と、
前記異常状態判定手段により異常状態であると判定された場合に、当該異常状態判定手段が判定した異常内容に応じた報知を行う異常状態報知手段と、
前記駆動維持演出が中止された場合であっても、特定の異常内容である場合には、所定時間の経過に基づいて、前記異常状態報知手段による異常状態の報知を終了させると共に、前記駆動維持演出を再開することが可能な駆動維持演出再開手段と、を備えていることを特徴とする遊技機である。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
始動条件の成立に伴って所定の特別遊技を実行するか否かを判定する判定手段と、
画像を表示可能な画像表示装置と、
前記画像表示装置を用いて演出図柄を変動表示させる変動演出を行う変動演出実行手段と、
音声情報に基づく音声を音声出力手段から出力させる制御を行う音声制御手段と、
前記音声情報に基づく音声を前記音声出力手段から出力する音量となる音量設定値の初期値を設定可能な初期音量設定手段と、
遊技者が操作可能な操作手段と、
前記操作手段の操作に応じて、前記初期値に基づいて設定された前記音量設定値を変更可能な出力音量変更手段と、
前記出力音量変更手段によって前記音量設定値が変更される毎に、変更後の前記音量設定値を示す音量画像を前記画像表示装置に表示する音量画像表示手段と、
を備え、
前記変動演出実行手段は、前記変動演出において、前記演出図柄を変動表示させるとともに前記判定手段による判定結果を示す表示態様で前記演出図柄を仮停止させ、さらに所定の確定停止時期となったときに、仮停止させていた前記演出図柄を、前記判定結果を示す表示態様で確定停止させ、
前記出力音量変更手段は、前記変動演出中に前記音量設定値を変更可能であり、
前記音量画像は、前記演出図柄の仮停止中には前記画像表示装置に表示され、前記演出図柄の確定停止時には表示が消去されていることを特徴とする遊技機。
【手続補正２】
【補正対象書類名】明細書
【補正対象項目名】０００５
【補正方法】変更
【補正の内容】
【０００５】
本発明は、上述の課題を解決するためになされたものであり、以下の形態により実現することが可能である。
第１の形態の遊技機は、始動条件の成立に伴って所定の特別遊技を実行するか否かを判定する判定手段と、画像を表示可能な画像表示装置と、前記画像表示装置を用いて演出図柄を変動表示させる変動演出を行う変動演出実行手段と、音声情報に基づく音声を音声出力手段から出力させる制御を行う音声制御手段と、前記音声情報に基づく音声を前記音声出力手段から出力する音量となる音量設定値の初期値を設定可能な初期音量設定手段と、遊技者が操作可能な操作手段と、前記操作手段の操作に応じて、前記初期値に基づいて設定された前記音量設定値を変更可能な出力音量変更手段と、前記出力音量変更手段によって前記音量設定値が変更される毎に、変更後の前記音量設定値を示す音量画像を前記画像表示装置に表示する音量画像表示手段と、を備え、前記変動演出実行手段は、前記変動演出において、前記演出図柄を変動表示させるとともに前記判定手段による判定結果を示す表示態様で前記演出図柄を仮停止させ、さらに所定の確定停止時期となったときに、仮停止させていた前記演出図柄を、前記判定結果を示す表示態様で確定停止させ、前記出力音量変更手段は、前記変動演出中に前記音量設定値を変更可能であり、前記音量画像は、前記演出図柄の仮停止中には前記画像表示装置に表示され、前記演出図柄の確定停止時には表示が消去されている。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
始動条件の成立に伴って所定の特別遊技を実行するか否かを判定する判定手段と、
複数の演出図柄を表示可能な画像表示装置と、
前記判定結果に基づいて、前記複数の演出図柄を変動表示させた後で停止表示させる変動演出を実行する制御を行う演出実行制御手段と、
前記変動演出の実行中に、音声出力手段から演出音を出力させる制御を行う音声制御手段と、を備え、
前記演出音は、前記変動演出中に継続的に出力される変動演出音と、演出図柄の停止表示に伴って出力される変動停止音と、を含み、
前記音声制御手段は、
前記変動演出中に、前記変動演出音と前記変動停止音とを同時に出力可能であり、
前記複数の演出図柄がそれぞれ異なるタイミングで停止表示される場合には、各演出図柄が停止表示されるタイミングで前記変動停止音をそれぞれ出力させ、
前記複数の演出図柄が同時に停止表示される場合には、前記複数の演出図柄が停止表示されるタイミングで前記変動停止音を１回出力させることを特徴とする遊技機。
【手続補正２】
【補正対象書類名】明細書
【補正対象項目名】０００５
【補正方法】変更
【補正の内容】
【０００５】
本発明は、上述の課題を解決するためになされたものであり、以下の形態により実現することが可能である。
第１の形態の遊技機は、始動条件の成立に伴って所定の特別遊技を実行するか否かを判定する判定手段と、複数の演出図柄を表示可能な画像表示装置と、前記判定結果に基づいて、前記複数の演出図柄を変動表示させた後で停止表示させる変動演出を実行する制御を行う演出実行制御手段と、前記変動演出の実行中に、音声出力手段から演出音を出力させる制御を行う音声制御手段と、を備え、前記演出音は、前記変動演出中に継続的に出力される変動演出音と、演出図柄の停止表示に伴って出力される変動停止音と、を含み、前記音声制御手段は、前記変動演出中に、前記変動演出音と前記変動停止音とを同時に出力可能であり、前記複数の演出図柄がそれぞれ異なるタイミングで停止表示される場合には、各演出図柄が停止表示されるタイミングで前記変動停止音をそれぞれ出力させ、前記複数の演出図柄が同時に停止表示される場合には、前記複数の演出図柄が停止表示されるタイミングで前記変動停止音を１回出力させる。
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
遊技盤に配設された始動部品への遊技球の入球に応じて取得される始動情報を記憶する始動情報記憶手段と、
前記始動情報記憶手段に記憶された始動情報に基づいて、遊技盤に配設された大入賞部品を開放動作させる特別遊技の実行可否に関する当否抽選を実行する当否抽選手段と、
前記当否抽選の結果に基づいて、遊技盤に配設された表示装置の表示画面上において所定の演出図柄を変動表示させるとともに、当該演出図柄の変動表示に伴って表示される変動演出を選択し、選択された変動演出を表示させる演出制御手段と、
操作可能な操作機構の操作に基づいて特典を付与する特典付与手段と、
を備えた遊技機であって、
前記演出制御手段は、選択された変動演出が特定の変動演出であり、前記特典が所定条件を満たす場合に、前記特定の変動演出を他の変動演出に変更して表示させることを特徴とする遊技機。
【請求項２】
前記演出制御手段は、前記特定の変動演出を含む前記演出図柄の変動中に、遊技者の任
意に操作可能な操作機構の操作により前記他の変動演出への変更が選択されたことに基づ
いて、前記特定の変動演出を前記他の変動演出に変更して表示させることを特徴とする請
求項１記載の遊技機。
【手続補正２】
【補正対象書類名】明細書
【補正対象項目名】０００６
【補正方法】変更
【補正の内容】
【０００６】
上記課題を解決するための本発明の構成として、遊技盤に配設された始動部品への遊技球の入球に応じて取得される始動情報を記憶する始動情報記憶手段と、始動情報記憶手段に記憶された始動情報に基づいて、遊技盤に配設された大入賞部品を開放動作させる特別遊技の実行可否に関する当否抽選を実行する当否抽選手段と、当否抽選の結果に基づいて、遊技盤に配設された表示装置の表示画面上において所定の演出図柄を変動表示させるとともに、当該演出図柄の変動表示に伴って表示される変動演出を選択し、選択された変動演出を表示させる演出制御手段と、操作可能な操作機構の操作に基づいて特典を付与する特典付与手段とを備えた遊技機であって、演出制御手段は、選択された変動演出が特定の変動演出であり、特典が所定条件を満たす場合に、特定の変動演出を他の変動演出に変更して表示させる構成とした。
また、他の構成として、演出制御手段が、特定の変動演出を含む演出図柄の変動中に、遊技者の任意に操作可能な操作機構の操作により他の特定の変動演出への変更が選択されたことに基づいて、決定された特定の変動演出を他の特定の変動演出に変更して表示させる構成とした。
なお、上記発明の概要は、本発明の必要な特徴の全てを列挙したものではなく、特徴群を構成する個々の構成もまた発明となり得る。